(57)【要約】【課題】調湿作用を果たすだけでなく、壁部全体の重量を従来よりも軽減できる壁下地材および壁下地材を用いた塗壁を提供する。【解決手段】壁下地材１０は、下地材１２と、下地材１２の一面側に配置され、所定の厚みからなる長板状に加工した竹板または木板を用いて縦横の格子状に組み込んで形成した小舞部１６と、下地材１２と小舞部１６とを接着する接着部１４とを有する。塗壁は、タイル状に配置した複数の壁下地材１０について、隣り合う壁下地材１０を連結して固定するためのメッシュ部材１７を有し、メッシュ部材１７によって連結して固定した後に、荒塗り２２、中塗り２４および仕上げ塗り２６のうち少なくとも一以上の塗りを行って形成する。厚みを増やしても小舞部１６の重量はベニヤ合板と比べて大幅に少ないので、壁下地材１０を用いて形成した壁部全体の重量を従来よりも軽減できる。【選択図】図１
2008248679.tif 000002
【特許請求の範囲】
【請求項１】
下地材と、
前記下地材の一面側に配置され、所定の厚みからなる長板状に加工した竹板または木板を用いて縦横の格子状に組み込んで形成した小舞部と、
前記下地材と前記小舞部とを接着する接着部とを有する壁下地材。
【請求項２】
請求項１に記載した壁下地材であって、
小舞部は、縦横の格子状に組み込む竹板または木板のうち、縦よりも横に配置する竹板または木板の厚みを厚くする壁下地材。
【請求項３】
請求項１または２に記載した壁下地材であって、
下地材として断熱材を用いるか、または下地材の他面側に断熱材を有する壁下地材。
【請求項４】
請求項１から３のいずれか一項に記載した壁下地材であって、
接着部は、接着剤と難燃性素材とを混合した混合物を用いる壁下地材。
【請求項５】
請求項１から４のいずれか一項に記載した壁下地材を複数用い、
タイル状に配置した前記複数の壁下地材について、隣り合う壁下地材を連結して固定するための固定部材を有し、
前記固定部材によって固定した後に、荒塗り、中塗りおよび仕上げ塗りのうちで一以上の塗りを行って形成した塗壁。
【発明の詳細な説明】
【技術分野】
【０００１】
本発明は、壁の下地材に用いられる壁下地材と、その壁下地材を用いた塗壁に関する。
【背景技術】
【０００２】
木造建築物の壁部（例えば内壁や外壁）の下地材として竹や細木を縦横の格子状（「井桁状」とも呼ぶ。以下同じ。）に組み込んだ小舞（「木舞」とも呼ぶ。以下同じ。）が用いられており、特に土塗壁の下地材として用いられる。小舞を用いて施した土塗壁は、当該小舞に上塗りした壁材が調湿作用（すなわち湿度に応じて水分を吸収したり放出する作用）を果たしている。
【０００３】
ところが、竹や細木を縦横の格子状に組み込む作業や、小舞に対してコテ塗りによって荒塗り・中塗り・仕上げ塗りを行う作業には、熟練した職人の手作業に頼っているために手間と時間を要する。この問題を解決するため、小舞の代わりに多数個の円形小孔が穿設されたベニヤ合板を用いて土塗壁を施す技術が開示されている（例えば特許文献１を参照）。当該ベニヤ合板を用いて施した土塗壁でも、小舞を用いて施した土塗壁のような調湿作用を果たすことは可能である。
【特許文献１】特開平９−２３５８５２号公報
【発明の開示】
【発明が解決しようとする課題】
【０００４】
しかし、調湿作用を果たせたとしても、要求されている壁部の厚みが大きい場合にはベニヤ合板自体を厚く形成しなければならない。ベニヤ合板は圧縮加工により形成されるので、このベニヤ合板を用いた壁部全体の重量が大幅に増すという問題点があった。
【０００５】
本発明はこのような点に鑑みてなしたものであり、調湿作用を果たすだけでなく、壁部の厚みが大きい場合でも壁部全体の重量を従来よりも軽減できる壁下地材および塗壁を提供することを目的とする。
【課題を解決するための手段】
【０００６】
（１）課題を解決するための手段（以下では単に「解決手段」と呼ぶ。）１は、壁下地材であって、下地材と、前記下地材の一面側に配置され、所定の厚みからなる長板状に加工した竹板または木板を用いて縦横の格子状に組み込んで形成した小舞部と、前記下地材と前記小舞部とを接着する接着部とを有することを要旨とする。
【０００７】
解決手段１によれば、要求されている壁部の厚みが大きい場合には小舞部の厚み（所定の厚み）を変えればよい。小舞部の厚みを増して増加する重量は、竹板または木板を用いて縦横の格子状（この格子の交差角は任意であって、ほぼ直交してもよく、斜交してもよい）に組み込んで形成した構造であるので、上記特許文献１におけるベニヤ合板の重量増加と比べると大幅に少ない。したがって、当該壁下地材を用いて形成した壁部全体の重量を従来よりも軽減することができる。
【０００８】
（２）解決手段２は、解決手段１に記載した壁下地材であって、小舞部は、縦横の格子状に組み込む竹板または木板のうち、縦よりも横に配置する竹板または木板の厚みを厚く構成したことを要旨とする。
【０００９】
解決手段２によれば、小舞部は横（水平側）に配置する竹板または木板の厚みを縦（垂直側）よりも厚くして格子状に組み込む。横に配置された竹板や木板は自身の厚みによって凸状になるので、塗り作業（すなわち後述する荒塗り，中塗り，仕上げ塗り，一回塗り等）を行う場合には盛りやすくなる。したがって、塗り作業を簡単かつ短時間で行える。なお、縦・横のいずれを問わず、竹板または木板の厚みを変えれば壁下地材全体の厚みを調整することができる。
【００１０】
（３）解決手段３は、解決手段１または２に記載した壁下地材であって、下地材として断熱材を用いるか、または下地材の他面側に断熱材を有することを要旨とする。
【００１１】
解決手段３によれば、下地材として断熱材を用いたり、下地材の他面側（すなわち小舞部を接着する面とは反対側の面）に断熱材を備えると、断熱効果が得られる。壁下地材と別個に断熱材を備えて塗壁を形成する場合に比べて、作業の手間が減って作業時間を短縮することができる。
なお、断熱材には断熱作用がある任意の素材を適用することができる。例えば、発泡スチレン（不燃性のほうが望ましい），発泡スチロール，ウール（グラスウールやロックウール等を含む），軽量気泡コンクリート（ＡＬＣ）などが該当する。
【００１２】
（４）解決手段４は、解決手段１から３のいずれか一項に記載した壁下地材であって、接着部は、接着剤と難燃性素材とを混合した混合物を用いることを要旨とする。
【００１３】
解決手段４によれば、接着部としての混合物に難燃性素材が含まれるので、延焼を防止することができる。なお、難燃性素材は難燃性の素材であれば任意であって、例えば不燃性発泡スチレン，ウール（グラスウールやロックウール等を含む），漆喰，炭（木炭，竹炭，セラミック活性炭や液状炭等を含む），硅藻土，硅藻頁岩などが該当する。
【００１４】
（５）解決手段５は、解決手段１から４のいずれか一項に記載した壁下地材を複数用いた塗壁であって、タイル状に配置した前記複数の壁下地材について、隣り合う壁下地材を連結して固定するための固定部材を有し、前記固定部材によって固定した後に、荒塗り、中塗りおよび仕上げ塗りのうちで一以上の塗りを行って形成したことを要旨とする。
なお「荒塗り、中塗りおよび仕上げ塗りのうちで一以上の塗り」には、化粧用壁材を用いて１回だけ塗って仕上げる「一回塗り」を含む。
【００１５】
隣り合う壁下地材の間（すなわち接触部や境界部等）は、何ら措置を施さなければ面の垂直方向から加わる力に対する剛性が低いので、塗壁として形成した後にクラックが生じやすい。解決手段５によれば、隣り合う壁下地材の間で対向する双方の端部を覆うようにメッシュ部材で固定するので、垂直方向から加わる力に対して剛性が高まる。こうして隣り合う壁下地材の間で一体化されるので、塗壁におけるクラックが生じ難くなる。なおメッシュ部材の材質や素材は任意であるが、合成樹脂（例えばビニロン），金属，炭素繊維，繊維強化プラスチック（ＦＲＰ）等のように引張力の高いものが望ましい。
また、要求されている壁部の厚みに合わせて小舞部の厚みを変えた壁下地材を用いているので、所望の壁部の厚さに形成することができる。壁材を用いて荒塗りを行えば小舞部の隙間に埋まり、さらに中塗りおよび仕上げ塗りを行って塗壁を形成しても、壁部全体の重量を従来よりも軽減することができる。一回塗りを行う場合も同様である。壁材には使用可能な任意の素材を用いてもよいが、調湿作用を高めるために例えば硅藻頁岩，木炭，竹炭，硅藻土等を用いるのが望ましい。
【発明の効果】
【００１６】
本発明によれば、調湿作用を果たすだけでなく、壁部の厚みが大きい場合でも壁部全体の重量を従来よりも軽減することができる。
【発明を実施するための最良の形態】
【００１７】
本発明を実施するための最良の形態について、図１〜図７を参照しながら説明する。
【００１８】
まず図１を参照しながら、壁下地材の構成例を説明する。図１に表す壁下地材１０は、断熱材１１，下地材１２，小舞部１６等を有する。断熱材１１は、断熱作用がある任意の素材を適用することができる。例えば、発泡スチレン（不燃性のほうが望ましい），発泡スチロール，ウール（グラスウールやロックウール等を含む），軽量気泡コンクリート（ＡＬＣ）などが該当する。断熱材１１は、下地材１２の他面側（すなわち後述する小舞部１６を接着する面とは反対側の面）に備える。
【００１９】
下地材１２の一面側には、接着部１４によって小舞部１６を接着する。この下地材１２には壁の基板として適用可能な任意の素材を用いることができるが、耐火性や耐熱性を有するものが望ましい。例えば、ベニヤ板，合板，石膏ボード，ケイ酸カルシウム板，パーティクルボード，レンガ，コンクリート等が該当する。小舞部１６は、厚みｄ１からなる長板状に加工した縦竹板１６ａと、厚みｄ２（本例ではｄ２＞ｄ１とする）からなる長板状に加工した横竹板１６ｂとを用いて格子状に組み込んで形成する（図２を参照）。図２の例では縦竹板１６ａと横竹板１６ｂをほぼ直交させているが、斜交させてもよい。厚みｄ１，ｄ２はそれぞれ「所定の厚み」に相当する。格子状に組み込んだ小舞部１６を一部拡大すると図２に表すようになる。縦竹板１６ａおよび横竹板１６ｂは、蒸気を用いて脱脂させることで防虫作用を持たせたものを用いるのが望ましい。縦竹板１６ａおよび横竹板１６ｂについて竹の外周面にあたる部位は、接着部１４側に配置して塗りを行い易くするのが望ましい。接着部１４は小舞部１６を壁下地材１０に接着させるものであれば任意の接着剤を用いることができる。例えば、米糊，ユリア樹脂系，フェノール樹脂系，ユリア・メラミン共縮合樹脂系等の接着剤が該当する。
【００２０】
上述のように下地材１２と小舞部１６を接着部１４で接着した後の完成状態、すなわち壁下地材１０を断面図で図３，図４に表す。図３と図４の違いは、縦竹板１６ａの厚みｄ１と横竹板１６ｂの厚みｄ２である。小舞部１６の厚さは、厚みｄ１が薄い場合は図３に表すように高さＨ２にとどまり、厚みｄ１が厚い場合は図４に表すように高さＨ４（ただしＨ４＞Ｈ２である）になる。他の部位（下地材１２や後述する図７に表す荒塗り２２，中塗り２４，仕上げ塗り２６）の厚さが変わらないと仮定すれば、壁部２０全体の厚みは縦竹板１６ａの厚みｄ１および横竹板１６ｂの厚みｄ２のうちで一方または双方を変えることで容易に調整することができる。
【００２１】
図５には、複数の壁下地材１０をタイル状に配置して構成する例を平面図で表す。すなわち上述のように構成した壁下地材１０を複数用いてタイル状に配置し（すなわち壁下地材１０の平面方向に敷き詰めて）、一方または双方の面をメッシュ部材１７で連結して固定する。具体的には、隣り合う壁下地材１０の間で対向する双方の端部を覆うようにメッシュ部材１７で連結して固定する。図５に表す例では、図面縦方向にメッシュ部材１７ａで連結して固定するとともに、図面横方向にメッシュ部材１７ｂで連結して固定している。メッシュ部材１７，メッシュ部材１７ａ，メッシュ部材１７ｂは、いずれも固定部材に相当する。
なお、メッシュ部材１７の材質や素材は任意であるが、合成樹脂（例えばビニロン），金属，炭素繊維，繊維強化プラスチック（ＦＲＰ）等のように引張力の高いものが望ましい。また固定方法も任意であって、予めメッシュ部材１７に接着剤を染み込ませてそのまま接着する方法や、小舞部１６を下地材１２に接着するのと同様にメッシュ部材１７を接着部１４で接着する方法、固定部材（例えばネジ，ボルト，ビス，鋲，ホッチキス等）を用いて固定する方法などが該当する。
【００２２】
図６には、上述した固定部材の一例としてネジを用い、隣り合う壁下地材を連結して固定する例を表す。図６（Ａ）に表す壁下地材１０Ａおよび壁下地材１０Ｂは、いずれも上述した壁下地材１０に相当する。壁下地材１０Ａおよび壁下地材１０Ｂの各端部は互い違いに形成する。本例では、壁下地材１０Ａが断熱材１１を突出させ、壁下地材１０Ｂが下地材１２および小舞部１６を突出させている。端部（互い違いの部位）における壁下地材１０Ａには部分穴２８ａを設け、同じく端部（互い違いの部位）における壁下地材１０Ｂには部分穴２８ｂを設ける。これらの部分穴２８ａ，２８ｂは、図６（Ｂ）に表すように壁下地材１０Ａと壁下地材１０Ｂを組み付けることで一体となって一つの固定用穴２８を構成し、ネジ３０によって両壁下地材を固定する。こうして隣り合う壁下地材１０Ａと壁下地材１０Ｂを固定した状態を図６（Ｃ）に表す。
【００２３】
次に図７を参照しながら、壁部の構成例を説明する。図７に表す壁部２０は「塗壁」に相当し、上述した壁下地材１０の他に、荒塗り２２，中塗り２４，仕上げ塗り２６を有する。図示するように、壁部２０は柱材１８の相互間に固定される。この壁部２０は、壁下地材１０の片面（または両面）に対してほぼ一定厚の荒塗り２２を行う。このとき、荒塗り２２用の壁材が縦横の格子状に組み込まれた縦竹板１６ａおよび横竹板１６ｂの隙間に入り込む。そして、各工程毎に乾燥作業を介在させながら中塗り２４を行い、最後に仕上げ塗り２６を施して壁部２０が完成される。本例では荒塗り２２，中塗り２４，仕上げ塗り２６を全て行って完成させたが、これらのうちで一以上の塗りを行って完成させてもよく、一回塗りを行って完成させてもよい。塗り作業で用いる壁材には、使用可能な任意の素材を用いてもよいが、調湿作用を高めるために例えば硅藻頁岩，木炭，竹炭，硅藻土等を用いるのが望ましい。
【００２４】
上述した実施の形態によれば、以下に表す各効果を得ることができる。
（１）壁下地材１０は、下地材１２と小舞部１６と接着部１４で接着して構成した（図１を参照）。要求されている壁部２０の厚みが大きい場合には小舞部１６の厚み（言い換えれば縦竹板１６ａの厚みｄ１や横竹板１６ｂの厚みｄ２のうちで一方または双方）を変えればよい。小舞部１６の厚みを増して増加する重量は、ベニヤ合板の重量増加と比べると大幅に少ない。したがって、壁下地材１０を用いて形成した壁部２０全体の重量を従来よりも軽減することができる。なお、接着部１４に代えて（あるいは加えて）、上述した固定部材を用いて小舞部１６を下地材１２に固定してもよい。
【００２５】
（２）下地材１２の他面側（すなわち小舞部１６を接着する面とは反対側の面）に断熱材１１を備えたので（図１を参照）、断熱効果が得られる。壁下地材１０とは別個に断熱材１１を備えて壁部２０を形成する場合に比べて、作業の手間が減って作業時間を短縮することができる。
【００２６】
（３）小舞部１６は、横竹板１６ｂの厚みｄ２を縦竹板１６ａの厚みｄ１よりも厚くして格子状に組み込む構成とした（図２を参照）。横竹板１６ｂは自身の厚みによって凸状になるので、塗り作業（すなわち荒塗り２２，中塗り２４，仕上げ塗り２６，一回塗り等）を行う場合には盛りやすくなる。したがって、塗り作業を簡単かつ短時間で行える。
なお、縦・横のいずれを問わず、各竹板の厚みを変えれば壁下地材１０全体の厚みを調整することができる。また、横竹板１６ｂの厚みｄ２は必ずしも同一にする必要はなく、小舞部１６を構成する複数の横竹板１６ｂのうちで一以上が他の厚み（例えば厚みｄ２より厚くしたり、厚みｄ１とほぼ同じ厚みする等）であっても同様の効果が得られる。
【００２７】
（４）タイル状に配置した複数の壁下地材１０は、隣り合う壁下地材１０をメッシュ部材１７やネジ３０などの固定部材で固定した（図５，図６を参照）。隣り合う壁下地材１０の相互間を固定部材で連結して固定したので、何ら措置を施さない場合よりも面の垂直方向から加わる力に対する剛性が高まる。こうして隣り合う壁下地材１０の間で一体化されるので、壁部２０におけるクラックが生じ難くなる。
【００２８】
〔他の実施の形態〕
以上では本発明を実施するための最良の形態について説明したが、本発明は当該形態に何ら限定されるものではない。言い換えれば、本発明の要旨を逸脱しない範囲内において、種々なる形態で実施することもできる。例えば、次に示す各形態を実現してもよい。
【００２９】
（１）上述した実施の形態では、接着部１４として接着剤単体を適用した（図１等を参照）。この形態に代えて、接着剤と難燃性素材とを混合した混合物を接着部１４として適用してもよい。難燃性素材としては、不燃性発泡スチレン，ウール（グラスウールやロックウール等を含む），漆喰，炭（木炭，竹炭，セラミック活性炭や液状炭等を含む），硅藻土，硅藻頁岩などが該当する。このように混合物を接着部１４として用いれば、難燃性素材が含まれるので、延焼を防止することができる。
【００３０】
（２）上述した実施の形態では、小舞部１６は従来の小舞に倣って厚みｄ１，ｄ２からなる長板状に加工した縦竹板１６ａおよび横竹板１６ｂを用いて縦横の格子状に組み込んで平面状に形成した（図２を参照）。この形態に代えて、厚みｄ１，ｄ２等からなる長板状に加工した木板を用いて縦横の格子状に組み込んで平面状に形成してもよい。木板を用いた小舞部１６であっても、上述した実施の形態と同様の作用効果を奏する。
なお、調湿作用を必要としない部位の壁部２０に用いる壁下地材１０には、厚みｄ１，ｄ２等のような所定の厚みからなる長板状に加工した合成樹脂板，金属板，繊維強化プラスチック（ＦＲＰ）板等のうちで一以上を用い、縦横の格子状に組み込んで平面状に形成した小舞部１６を用いてもよい。このような小舞部１６を用いた壁下地材１０であっても、従来技術のベニヤ合板よりは軽量化することができる。
【００３１】
（３）上述した実施の形態では、断熱材１１は下地材１２とは別個に備える構成とした（図１を参照）。この形態に代えて、下地材１２を無くして断熱材１１のみを備える構成としてもよい。図１の例では下地材１２を無くしたうえで、断熱材１１の一面側に接着部１４を介して小舞部１６を接着する。すなわち断熱材１１が下地材と同様の剛性や耐久性等を有する場合には、断熱材１１が下地材を兼ねてもよい。この形態によれば断熱効果が得られるだけでなく、下地材１２が不要になるのでコストを安く抑えたり、同等の機能を有しながらも壁部２０全体の厚みを薄くすることができる。
【００３２】
（４）上述した実施の形態では、小舞部１６は板材（竹板や木板等）を用いて縦横の格子状に組み込んで形成した（竹板の例は図２を参照）。この形態に代えて、板材の間隔（等間隔であるか否か問わない）を空けて横側のみを配置した小舞部を形成してもよい。すなわち図２を例にすると、縦竹板１６ａを無くし、横竹板１６ｂのみで構成する。横竹板１６ｂの相互間は線状部材（例えば針金や紐等）で結合すればよい。このように縦側の板材を無くして構成した場合でも、塗り作業で用いる壁材の盛り易さは維持されるだけでなく、板材の使用枚数を少なく抑えることができる。
また、合成樹脂や羽毛等からなる多数の毛状部材を絡ませて構成した通気性樹脂ネットを用いて小舞部を形成したり、多数の毛状部材を絡ませたり編み合わせて構成した立体メッシュを用いて小舞部を形成したり、多数の毛状部材を編み合わせて絨毯や羽毛製品等のような小舞部を形成したり、多数の毛状部材を板材に植毛または接着して毛ブラシ等のような小舞部を形成してもよい。いずれの小舞部に対して塗り作業を行っても、小舞部内に空気層が形成されて断熱作用が生じるので、小舞部が断熱材の機能を兼用できる。したがって、断熱材１１が不要となる点でコストを安く抑えることができる。
【００３３】
（５）上述した実施の形態では、荒塗り２２，中塗り２４，仕上げ塗り２６のように複数回の塗りを行って壁部２０を完成させた（図７を参照）。この形態に代えて、一回塗りを行って壁部２０を完成させる構成としてもよく、その一例を図８，図９にそれぞれ断面図で表す。図８に表す構成例は、下地材１２（例えばレンガやコンクリート等），断熱材１１，小舞部１６からなる壁下地材１０に対して、調湿作用がある壁材（例えば硅藻頁岩や硅藻土等）を用いて仕上げ塗り２６を行って壁部２０を完成させる。図示しないが、断熱材１１の端部や端面にはコーキング材を注入して気密性を確保するのが望ましい。
【００３４】
図９に表す構成例は、図８と同様に構成する。ただし、断熱材１１と小舞部１６との間に角材３２を介在させて、通気を行うための空間３４を確保した点が図８と異なる。なお図９に表す壁下地材１０は、下地材１２，断熱材１１，角材３２，小舞部１６で構成する。角材３２に用いる素材は任意であるが、例えば竹や木等が望ましい。
以上のように図８，図９に表す壁部２０であっても、壁下地材１０を用いて形成した点では同じであるので、上述した実施の形態と同様の作用効果を得ることができる。
【図面の簡単な説明】
【００３５】
【図１】壁下地材の構成例を表す分解斜視図である。
【図２】平面状に網んだ小舞部を一部拡大した斜視図である。
【図３】図１のIII−III線断面図であって、壁下地材の構成例を表す。
【図４】図１のIII−III線断面図であって、壁下地材の構成例を表す。
【図５】複数の壁下地材をタイル状に配置して構成する例を表す平面図である。
【図６】隣り合う壁下地材を連結して固定する例を説明する図である。
【図７】壁部の構成例を表す一部破断斜視図である。
【図８】壁部の構成例を表す断面図である。
【図９】壁部の構成例を表す断面図である。
【符号の説明】
【００３６】
１０（１０Ａ，１０Ｂ）  壁下地材
１１  断熱材
１２  下地材
１４  接着部
１６  小舞部
１６ａ  縦竹板
１６ｂ  横竹板
１７（１７ａ，１７ｂ）  メッシュ部材（固定部材）
１８  柱材
２０  壁部（塗壁）
２２  荒塗り
２４  中塗り
２６  仕上げ塗り
２８  固定用穴
２８ａ，２８ｂ  部分穴
３０  ネジ（固定部材）
３２  角材
３４  空間
【図１】
2008248679.tif 000003
【図２】
2008248679.tif 000004
【図３】
2008248679.tif 000005
【図４】
2008248679.tif 000006
【図５】
2008248679.tif 000007
【図６】
2008248679.tif 000008
【図７】
2008248679.tif 000009
【図８】
2008248679.tif 000010
【図９】
2008248679.tif 000011